(57)【要約】【課題】  撮像装置のバッテリーが通常の撮影動作に必要な値より小さくなってしまうと、まだ通信処理が可能な電圧であっても電源が切れてしまう。【解決手段】  バッテリーチェック結果データと比較する為の閾値として、少なくとも外部演算装置との通信を禁止する外部演算装置通信禁止レベルと撮像装置の通常撮影動作等の撮像装置動作を禁止する撮像装置の動作禁止レベルを有し、撮像装置の動作禁止レベルより、外部演算装置通信禁止レベルの方が低く設定される。【選択図】      図３
2006140685.tif 000002
【特許請求の範囲】
【請求項１】
外部演算装置と通信できる撮像装置で、撮像装置の電源は電池を使用し、撮像装置にバッテリーチェック機能を持つ撮像装置において、
撮像装置は該バッテリーチェック機能によるバッテリーチェック結果データと比較する為の閾値として、少なくとも外部演算装置との通信を禁止する外部演算装置通信禁止レベルと撮像装置の通常撮影動作等の撮像装置動作を禁止する撮像装置の動作禁止レベルを持ち、撮像装置の動作禁止レベルより、外部演算装置通信禁止レベルの方が低いことを特徴とする撮像装置。
【請求項２】
撮像装置内部のマイコンの動作周波数を可変可能な請求項１記載の撮像装置において、
外部演算装置と接続時、撮像装置のバッテリーチェック結果のデータが撮像装置の動作禁止レベルより低く、外部演算装置通信禁止レベルより高い場合、マイコンの動作周波数を低速にすることを特徴とする撮像装置。
【請求項３】
請求項１記載の撮像装置において、
外部演算装置と接続時、撮像装置のバッテリーチェック結果のデータが撮像装置の動作禁止レベルより低く、外部演算装置通信禁止レベルより高い場合、撮像装置の撮影動作に関わる回路の電源の供給を停止することを特徴とする撮像装置。
【発明の詳細な説明】
【技術分野】
【０００１】
外部演算装置と通信可能な撮像装置のバッテリーチェック機能に係る撮像装置に関するものである。
【背景技術】
【０００２】
従来、パソコン等の外部演算装置と通信できる銀塩カメラ、デジタルカメラ、あるいはデジタルビデオカメラ等の撮像装置で、撮像装置の電源は電池を使用して、撮像装置にバッテリーチェック機能が有る場合、そのバッテリーチェックで撮像装置動作禁止電圧以下の場合、撮像装置動作はもちろん、外部演算装置通信もできなかった為、撮影していて撮像装置動作が禁止となった場合、電池を入れ替えなければ、パソコンと通信できなかった（例えば、特許文献１参照）。
【特許文献１】特開２０００−１８４２６４号公報
【発明の開示】
【発明が解決しようとする課題】
【０００３】
しかしながら、通常、撮像装置動作禁止電圧レベル（閾値）は、撮像装置の撮影動作に関わる給送モータやレンズ駆動等の電力を考慮した電圧で、外部演算装置通信だけを行うのに充分な電圧レベルは、撮像装置動作禁止電圧レベルより低い。
【０００４】
本発明は、以上の点に着目して成されたもので、パソコン通信できるカメラの場合は、バッテリーチェックレベルに、カメラ動作禁止レベルの下にパソコン通信禁止レベルを設けて、できるだけバッテリーが低い時でもパソコン通信のみは可能にさせる撮像装置を提供することを目的とする。
【課題を解決するための手段】
【０００５】
上記課題を解決するために、本願発明は、外部演算装置と通信できる撮像装置で、撮像装置の電源は電池を使用し、撮像装置にバッテリーチェック機能を持つ撮像装置において、撮像装置は該バッテリーチェック機能によるバッテリーチェック結果データと比較する為の閾値として、少なくとも外部演算装置との通信を禁止する外部演算装置通信禁止レベルと撮像装置の通常撮影動作等の撮像装置動作を禁止する撮像装置の動作禁止レベルを持ち、撮像装置の動作禁止レベルより、外部演算装置通信禁止レベルの方が低いことを特徴とするものである。
【発明の効果】
【０００６】
本発明によれば、外部演算装置との接続時は、撮像装置のバッテリーチェック電圧が、撮像装置の動作禁止電圧より低くても、外部演算装置通信禁止電圧よりも高ければ、外部演算装置との通信を可能としたので、本実施の形態では、詳細に述べていないが例えば、撮像装置と外部演算装置との通信で、撮像装置が過去に撮影したデータ（撮像装置内蔵のメモリに貯えられている撮影データ）を外部演算装置に送っていれば、撮像装置撮影していて電池がなくなり撮影できなくなっても外部演算装置との通信が可能な為、替えの電池がなくてもカメラ内の撮影データ等を外部演算装置に取り込むことが可能である。
【０００７】
さらに、撮像装置のバッテリーチェック電圧が、撮像装置の動作禁止電圧より低く、外部演算装置通信禁止電圧よりも高ければ、撮影動作に関連する回路の電源の供給を停止させたり、マイコンの動作周波数を低くするので、撮像装置の消費電力を抑えることができる。
【発明を実施するための最良の形態】
【０００８】
以下、添付図面を用いて本発明について詳細に説明する。
【実施例】
【０００９】
［発明の第１の実施の形態］
以下、本発明を図１、図２、図３、図４により、実施の形態に基づいて詳細に説明する。
【００１０】
図１は本発明の実施の形態に係るバッテリーチェック機能を具備した一眼レフレックスカメラの電気的構成の要部を示すブロック図である。
【００１１】
図１において、１００は撮像装置本体に内蔵された撮像装置制御手段であるところのマイクロコンピュータの中央処理装置（以下、ＭＰＵと記す）であり、１００ａのクロック制御回路は、発振器１０１で作られた源発振回路をＭＰＵ１００内の信号により、分周しない、１／２に分周する、１／１６に分周する、１／３２に分周するなどして、前記ＭＰＵ１００の動作周波数を決める。一般的に、動作周波数を低くするほどＭＰＵの消費電流は、低くなるので、本発明においては、非低消費電力モード時は、源発振回路を分周しないとし低消費電力モードは、１／３２分周とする。１００ｂは記憶手段であるところのＥＥＰＲＯＭであり、フィルムカウンタ情報、その他の撮影情報を記憶可能である。１００ｃはＡ／Ｄ変換機であり、後述するように焦点検出回路１０３、測光回路１０４からの入力されるアナログ信号をＡ／Ｄ変換する。１００ｄは、受信検知回路であり、外部演算装置から情報が送信されたことを検出する回路となっている。
【００１２】
前記ＭＰＵには、液晶表示回路１０２、焦点検出回路１０３、測光回路１０４、バッテリーチェック回路１０５、シャッター制御回路１０６、モータ制御回路１０７、スイッチセンス回路１０８、フィルム走行検知回路１１０及び、レンズ電源供給回路１１３が接続されている。また、撮影レンズ１内に配置されたレンズ制御回路３９とは、マウント接点３７を介して伝達がなされ、外部演算装置と接続するインターフェイス回路とは、ＰＣ接点４１を介して伝達がなされる。
【００１３】
前記液晶表示回路１０２は、ファインダ視野内であり測距点表示用液晶パネルであるファインダ内ＬＣＤ１１２とファインダ外に有り撮影者が観察できる外部ＬＣＤ１１１の表示をＭＰＵ１００からの信号に従って制御している。
【００１４】
前記焦点検出回路１０３は、ＭＰＵ１００の信号に従い、焦点検出用エリアセンサ６ｆの蓄積制御と読み出し制御を行って、それぞれの画素情報をＭＰＵに出力する。ＭＰＵはこの情報をＡ／Ｄ変換し、周知の位相差検出法による焦点検出を行い、検出した焦点検出情報をレンズ制御回路３９へ送出してレンズの焦点調節を行わせる。
【００１５】
前記測光回路１０４は、画面内の各エリアの輝度信号として、測光センサ１０からの出力をＭＰＵ１００に出力する。ＭＰＵ１００は輝度信号をＡ／Ｄ変換し、撮影の露出の調整を行う。
【００１６】
前記バッテリーチェック回路１０５は、ＭＰＵ１００からの信号にしたがって、バッテリーチェックを行い、その検出出力をＡ／Ｄ変換器１００ｃへ送っている。
【００１７】
前記シャッター制御回路１０６は、ＭＰＵ１００からの信号にしたがって、シャッター先幕（マグネットＭＧ−１を介して）、シャッター後幕（マグネットＭＧ−２を介して）を走行させ、露出制御を行う。
【００１８】
前記モータ制御回路１０７は、ＭＰＵ１００からの信号に従ってモータを制御することにより、主ミラーのアップダウン、及び、シャッターのチャージ、そしてフィルムの給送を行っている。
【００１９】
前記フィルム走行検知回路１１０は、フィルム給送時にフィルムが１駒分巻き上げられたかを検知し、ＭＰＵ１００に信号を送る。
【００２０】
前記レンズ電源供給回路１１３は、レンズの電源の供給をＭＰＵからの指示に従い、レンズに電源の供給を行っている。
【００２１】
ＳＷ１は不図示のレリーズ釦の第一ストロークでＯＮし、測光、ＡＦ動作を開始させるためのスイッチ、ＳＷ２は不図示のレリーズ釦の第二ストロークでＯＮし、露光動作を開始させるためのスイッチである。ＬＯＣＫＳＷは、撮像装置の動作を許可するためのスイッチである。その他不図示の撮像装置の操作部材の状態信号は、上記スイッチとともに、スイッチセンス回路１０８が検知し、ＭＰＵ１００に送っている。
【００２２】
図２、図３、図４は、撮像装置のプログラムを示すフローチャートである。
【００２３】
図２のメインプログラムを主体として、撮像装置の動作を説明する。
【００２４】
図２のステップＳ０１では、ＭＰＵの動作開始として、ＭＰＵ内部のクロック制御回路によりＭＰＵ内部で使用する動作周波数を高速に設定する。
【００２５】
ステップＳ０２では、撮像装置のデータを記憶しているＥＥＰＲＯＭから、データを読み込む。
【００２６】
ステップＳ０３では、バッテリーチェックを行い撮像装置に装着してある電池の状態を判別する。
【００２７】
ここで、図３のバッテリーチェックフローにより詳細に説明する。
【００２８】
図３のステップＳ２１では、ＭＰＵの指示により、バッテリーチェック回路は、撮像装置に装着してある電池に所定の負荷を加え、その出力をＭＰＵのＡ／Ｄ変換器に送る。
【００２９】
ステップＳ２２では、Ａ／Ｄ変換を行いデータをＲＡＭ（読み書き可能なメモリ）のＶＢＡＴＡＤに格納する。
【００３０】
ステップＳ２３では、バッテリーチェック回路に指示を出し、電池に負荷をかけるのをやめる。
【００３１】
ステップＳ２４では、外部演算装置との通信を許可するための内部フラグ（ＲＡＭ）であるＰＣ＿ＣＯＭと撮像装置の撮影動作を禁止するための内部フラグ（ＲＡＭ）であるＰＴ＿ＯＰをクリアして、両方の動作を禁止状態にする。
【００３２】
ステップＳ２５では、ＶＢＡＴＡＤのＡ／Ｄデータが外部演算装置通信を禁止する閾値（ＬＶＬ１）より小さければ、そのままリターンし、そうでなければ、ステップＳ２６に移行する。
【００３３】
ステップＳ２６では、ＰＣ＿ＣＯＭ＝１に設定し外部演算装置通信可能とする。
【００３４】
ステップＳ２７では、ＶＢＡＴＡＤのＡ／Ｄデータが撮像装置の撮影動作を禁止する閾値（ＬＶＬ２）より小さければ、そのままリターンし、そうでなければ、ステップＳ２８に移行する。
【００３５】
ステップＳ２８では、ＰＴＯＰ＝１に設定し撮像装置の撮影動作を許可し、このサブルーチンを終了（リターン）する。ここで、説明されているＬＶＬ１の閾値は、ＬＶＬ２の閾値よりも値が小さいことを付け加えておく。
【００３６】
図２に戻り、ステップＳ０４では、スイッチセンス回路と通信を行い撮像装置内の各スイッチ情報を読み込む。
【００３７】
ステップＳ０５では、ＰＣ＿ＣＯＭ＝０ならば、電池電圧が外部演算装置通信許可電圧より低いので外部演算装置の通信および、撮像装置の撮影動作をせずにステップＳ２０へ移行する。
【００３８】
ステップＳ０６では、外部演算装置からの通信を検知した場合はステップＳ０７へ移行し、検知しなかった場合は、ステップＳ１０へ移行する。
【００３９】
ステップＳ０７では、ＰＴ＿ＯＰ＝０ならば、電池電圧が低いので、ステップＳ０８へ移行し、そうでなければ、ステップＳ１０へ移行する。
【００４０】
ステップＳ０８では、消費電力を抑えるために、レンズ電源供給回路に指示を出し、レンズの電源供給を停止させる。
【００４１】
ステップＳ０９では、同様に消費電力を抑えるために撮像装置の動作周波数を低速に設定し、ステップＳ１０へ移行する。
【００４２】
ステップＳ１０では、外部演算装置と通信を行いさまざまなデータのやり取りを行う。
【００４３】
ここで、図４により詳細に外部演算装置通信手順を説明する。
【００４４】
図４のステップＳ３１では、受信データのデコードを行う。
【００４５】
ステップＳ３２では、デコードしたデータの情報に基づいて、撮像装置内部で処理を行う（処理内容としては、例えば撮像装置の撮影条件のデータを整理し送信準備をする等）。
【００４６】
ステップＳ３３では、デコードしたデータの内容が、撮像装置のデータ送信要求ならば、ステップＳ３４へ移行し撮像装置で持っているデータを外部演算装置に送信し、ステップＳ３５に移行する。そうでなければ、そのままステップＳ３５へ移行する。
【００４７】
ステップＳ３５では、デコードしたデータの情報が、通信終了要求ならばこのサブルーチンを終了（リターン）し、そうでなければ、ステップＳ３６へ移行する。
【００４８】
ステップＳ３６では、外部演算装置からの通信を待つため、受信を検知したかどうかをみて、受信するまで待ちつづける。
【００４９】
図２に戻って、図２のステップＳ１１では、ＰＴ＿ＯＰ＝０ならば、撮像装置撮影動作を禁止しているので、そのままステップＳ２０へ移行する。
【００５０】
ステップＳ１２では、レリーズ釦の第１ストロークでオンするスイッチＳＷ１がオフならば、ステップＳ２０（ＥＥＰＲＯＭ書き込み）へ進み、撮影情報をＥＥＰＲＯＭに書き込み、プログラムを終了する。ＳＷ１がオンならば、ステップＳ１３へ移行する。
【００５１】
ステップＳ１３では、測光回路１０４からの被写体の輝度情報によりシャッタースピードとレンズの絞り値を演算により算出し露出量を決定する。
【００５２】
ステップＳ１４では、焦点検出動作を行う。これは、前述したように焦点検出回路１０３による周知の位相差検出法によるものである。
【００５３】
ステップＳ１５では、ＭＰＵ１００は、前記焦点検出動作による焦点検出状態によりレンズ制御回路３９を制御することによって、レンズの焦点調節を行う。
【００５４】
そして、次のステップＳ１６では、ステップＳ１３によるシャッタースピード、絞り値、及びステップＳ１４による焦点検出結果をファインダ内に表示するため前記液晶表示回路と通信を行う。
【００５５】
続くステップＳ１７では、レリーズ釦の第２ストロークでオンするスイッチＳＷ２の状態を調べ、オフであればステップＳ１９へ移行する。
【００５６】
また、スイッチＳＷ２がオンであれば、ステップＳ１８へ移行し、フィルムに露光させるためのレリーズ制御を行う。
【００５７】
ステップＳ１９では、スイッチＳＷ１がオンされていたらステップＳ０４に戻り、オフならばステップＳ２０で撮像装置情報をＥＥＰＲＯＭに記憶しプログラムを終了する。
以上が実施の形態の内容である。
【図面の簡単な説明】
【００５８】
【図１】本発明の実施の形態に係る撮像装置に内蔵された電気的構成の要部を示すプロック図である。
【図２】本発明の実施の形態に係る撮像装置のメイン動作を示すフローチャートである。
【図３】本発明の実施の形態に係る撮像装置のバッテリーチェック動作を示すフローチャートである。
【図４】本発明の実施の形態に係る撮像装置の外部演算装置との通信動作を示すフローチャートである。
【符号の説明】
【００５９】
１００  ＭＰＵ
１０１  発信器
１０２  液晶表示回路
１０３  焦点検出回路
１０４  測光回路
１０５  バッテリーチェック回路
１０６  シャッター制御回路
１０７  モータ制御回路
１０８  スイッチセンス回路
１０９  ブザー
１１０  フィルム走行検知回路
１１１  外部ＬＣＤ
１１２  ファインダ内ＬＣＤ
【図１】
2006140685.tif 000003
【図２】
2006140685.tif 000004
【図３】
2006140685.tif 000005
【図４】
2006140685.tif 000006